(57)【特許請求の範囲】
【請求項１】
ガス供給管に配置されるガス流量検出装置であって、
前記ガス流量検出装置は、
ガス流量を第１期間間隔で取得する流量取得器と、
該流量取得器が取得したガス流量に基づいて、所定のガス器具での使用ガス流量の積算値である使用ガス総流量を算出する制御器と、を備え、
前記制御器は、前記流量取得器が取得したガス流量を基に前記所定のガス器具の使用ガス流量が取得できるかどうかを第２期間間隔で判定し、
前記所定のガス器具の使用ガス流量が取得できると判定した場合には、
前記所定のガス器具の使用ガス流量が取得できると判定した第２期間である、取得可能第２期間内に前記流量取得器が取得したガス流量の変化量と、当該取得可能第２期間の直前に取得された前記所定のガス器具の使用ガス流量と、を基に、当該取得可能第２期間内の前記所定のガス器具の使用ガス総流量を算出し、
前記所定のガス器具の使用ガス流量が取得できないと判定した場合には、
前記所定のガス器具の使用ガス流量が取得できないと判定した直前に取得された前記所定のガス器具の使用ガス流量を前記所定のガス器具の使用ガス流量が取得できない期間である、取得不可能期間の前記所定のガス器具の使用ガス流量とみなして、当該取得不可能期間の前記所定のガス器具の使用ガス総流量を算出するように構成されている、ガス流量検出装置。
【請求項２】
前記第２期間は、複数の前記第１期間を含む期間である、請求項１に記載のガス流量検出装置。
【請求項３】
前記第２期間は、連続した複数の前記第１期間を含む期間である、請求項１に記載のガス流量検出装置。
【請求項４】
前記制御器は、
前記所定のガス器具の使用ガス流量が取得できないと判定して、その後、前記所定のガス器具の使用ガス流量が取得できると判定し、かつ、前記取得不可能期間の前記所定のガス器具の使用ガス流量とみなした、前記取得不可能期間の直前に取得された前記所定のガス器具の使用ガス流量（以下、みなし直前使用ガス流量）が、前記取得不可能期間に前記流量取得器が取得したガス流量より大きい場合には、
前記みなし直前使用ガス流量と前記取得不可能期間に前記流量取得器が取得したガス流量のうち最も小さいガス流量との変化量と、前記みなし直前使用ガス流量と、を基に、当該取得不可能期間内の前記所定のガス器具の使用ガス総流量を算出するように構成されている、請求項１〜３のいずれか１項に記載のガス流量検出装置。
【請求項５】
前記制御器は、
前記所定のガス器具の使用ガス流量が取得できないと判定して、その後、前記所定のガス器具の使用ガス流量が取得できると判定し、かつ、前記取得不可能期間の前記所定のガス器具の使用ガス流量とみなした、前記取得不可能期間の直前に取得された前記所定のガス器具の使用ガス流量（以下、みなし直前使用ガス流量）が、前記取得不可能期間に前記流量取得器が取得したガス流量より大きい場合には、
前記前記取得不可能期間に前記流量取得器が取得したガス流量のうち最も小さいガス流量を前記取得不可能期間の前記所定のガス器具の使用ガス流量として再設定し、前記再設定した使用ガス流量を基に、当該取得不可能期間の前記所定のガス器具の使用ガス総流量を算出し、
前記取得不可能期間の直近の前記取得可能期間（以下、直前取得可能期間）における前記所定のガス器具の使用ガス総流量を、前記再設定した使用ガス流量と、前記直前取得可能期間における前記流量取得器が取得したガス流量の変化量と、を基に算出するように構成されている、請求項１〜３のいずれか１項に記載のガス流量検出装置。
【請求項６】
前記所定のガス器具は、燃料電池システムである、請求項１〜５のいずれか１項に記載のガス流量検出装置。
【請求項７】
前記制御器は、
前記取得不可能期間が、複数の連続した前記第２期間であり、
当該当該取得不可能期間の始点において流量取得器が取得したガス流量と、当該取得不可能期間の終点において前記流量取得器が取得したガス流量と、の変化量である、第１変化量が、所定範囲内である場合に、
前記取得不可能期間の直前に取得された前記所定のガス器具の使用ガス流量と、前記第１変化量と、を基に、前記取得不可能期間内の前記所定のガス器具の使用ガス総流量を算出するように構成されている、請求項１〜６のいずれか１項に記載のガス流量検出装置。
【請求項８】
流量取得器が第１期間間隔で取得したガス流量を基に所定のガス器具の使用ガス流量が取得できるかどうかを第２期間間隔で判定するステップと、
前記所定のガス器具の使用ガス流量が取得できると判定した場合には、前記所定のガス器具の使用ガス流量が取得できると判定した第２期間である、取得可能第２期間内に前記流量取得器で取得したガス流量の変化量と、当該取得可能第２期間の直前に取得された前記所定のガス器具の使用ガス流量と、を基に、当該取得可能第２期間内の前記所定のガス器具の使用ガス総流量を算出するステップと、
前記所定のガス器具の使用ガス流量が取得できないと判定した場合には、前記所定のガス器具の使用ガス流量が取得できないと判定した直前に取得された前記所定のガス器具の使用ガス流量（以下、みなし直前使用ガス流量）を前記所定のガス器具の使用ガス流量が取得できないと判定した期間である、取得不可能期間の前記所定のガス器具の使用ガス流量とみなして、当該取得不可能期間の前記所定のガス器具の使用ガス総流量を算出するステップと、を備える、ガス流量検出方法。
【発明の詳細な説明】
【技術分野】
【０００１】
本発明は、ガス流量検出装置及びガス流量検出方法に関する。
【背景技術】
【０００２】
現在、一般のガス需要家宅には、ガスの流量を計測するガスメータが取り付けられている。従来のガスメータにおいて、ガス器具の使用状態を判別することを目的としたガスメータ装置が知られている（例えば、特許文献１参照）。特許文献１に開示されているガスメータ装置では、ガス流量を一定時間間隔で計測し、計測した流量値の変化量から、使用状態の変化が起きたガス器具を判別している。
【先行技術文献】
【特許文献】
【０００３】
【特許文献１】特許第４７２９９７１号
【発明の概要】
【発明が解決しようとする課題】
【０００４】
上記特許文献１に開示されているガスメータ装置では、使用状態の変化が起きたガス器具を判別することができるが、所定のガス器具のガス使用量を検出することができなかった。特に、複数のガス器具が動作し得る状況において、その中の所定のガス器具でのガスの総使用量を検出することはできなかった。また、最近の一般家庭においては、ガス器具の一つとして燃料電池システムが普及しつつある。
【０００５】
本発明は、上記従来の課題を解決するものであり、所定のガス器具、特に、燃料電池システムの作動状態を判別して、そのガス使用量（総使用量）を算出（検出）することができる、ガス流量検出装置及びガス流量検出方法を提供することを目的とする。
【課題を解決するための手段】
【０００６】
上記課題を解決するために、本発明に係るガス流量検出装置は、ガス供給管に配置されるガス流量検出装置であって、前記ガス流量検出装置は、ガス流量を第１期間間隔で取得する流量取得器と、該流量取得器が取得したガス流量に基づいて、所定のガス器具での使用ガス流量の積算値である使用ガス総流量を算出する制御器と、を備え、前記制御器は、前記流量取得器が取得したガス流量を基に前記所定のガス器具の使用ガス流量が取得できるかどうかを第２期間間隔で判定し、前記所定のガス器具の使用ガス流量が取得できると判定した場合には、前記所定のガス器具の使用ガス流量が取得できると判定した第２期間である、取得可能第２期間内に前記流量取得器で取得したガス流量の変化量と、当該取得可能第２期間の直前に更新された前記所定のガス器具の使用ガス流量と、を基に、当該取得可能第２期間内の前記所定のガス器具の使用ガス総流量を算出し、前記所定のガス器具の使用ガス流量が取得できないと判定した場合には、前記所定のガス器具の使用ガス流量が取得できないと判定した直前に更新された前記所定のガス器具の使用ガス流量を前記所定のガス器具の使用ガス流量が取得できない期間である、取得不可能期間の前記所定のガス器具の使用ガス流量とみなして、当該取得不可能期間の前記所定のガス器具の使用ガス総流量を算出するように構成されている。
【０００７】
これにより、所定のガス器具が使用するガス使用量（総使用量）を算出（検出）することができ、使用機器に対応したガス料金の設定等の新たなサービス提供を実行することができることになる。なお、所定のガス器具の使用ガス流量が、当該所定のガス器具が使用するガス使用量であり、所定のガス器具の使用ガス総流量が、当該所定のガス器具が使用するガス総使用量であることは言うまでもない。
【０００８】
また、本発明に係るガス流量検出方法は、流量取得器が第１期間間隔で取得したガス流量を基に所定のガス器具の使用ガス流量が取得できるかどうかを第２期間間隔で判定するステップと、前記所定のガス器具の使用ガス流量が取得できると判定した場合には、前記所定のガス器具の使用ガス流量が取得できると判定した第２期間である、取得可能第２期間内に前記流量取得器で取得したガス流量の変化量と、当該取得可能第２期間の直前に更新された前記所定のガス器具の使用ガス流量と、を基に、当該取得可能第２期間内の前記所定のガス器具の使用ガス総流量を算出するステップと、前記所定のガス器具の使用ガス流量が取得できないと判定した場合には、前記所定のガス器具の使用ガス流量が取得できないと判定した直前に更新された前記所定のガス器具の使用ガス流量を前記所定のガス器具の使用ガス流量が取得できないと判定した期間である、取得不可能期間の前記所定のガス器具の使用ガス流量とみなして、当該取得不可能期間の前記所定のガス器具の使用ガス総流量を算出するステップと、を備える。
【０００９】
これにより、所定のガス器具が使用するガス使用量（総使用量）を算出（検出）することができ、使用機器に対応したガス料金の設定等の新たなサービス提供を実行することができることになる。
【発明の効果】
【００１０】
本発明の流量測定装置及び流量測定方法によれば、所定のガス器具が使用するガス使用量（総使用量）を算出（検出）することができ、使用機器に対応したガス料金の設定等の新たなサービス提供を実行することが可能となる。
【図面の簡単な説明】
【００１１】
【図１】図１は、本実施の形態１に係るガス流量検出装置の概略構成を示す模式図である。
【図２】図２は、本実施の形態１に係るガス流量検出装置の動作を示すフローチャートである。
【図３（Ａ）】図３（Ａ）は、本実施の形態１に係るガス流量検出方法の概念を説明するための模式図である。
【図３（Ｂ）】図３（Ｂ）は、本実施の形態１に係るガス流量検出方法の概念を説明するための模式図である。
【図３（Ｃ）】図３（Ｃ）は、本実施の形態１に係るガス流量検出方法の概念を説明するための模式図である。
【図４（Ａ）】図４（Ａ）は、本実施の形態２に係るガス流量検出方法の概念を説明するための模式図である。
【図４（Ｂ）】図４（Ｂ）は、本実施の形態２に係るガス流量検出方法の概念を説明するための模式図である。
【図５】図５は、本実施の形態３に係るガス流量検出方法の概念を説明するための模式図である。
【図６】図６は、本実施の形態４に係るガス流量検出方法の概念を説明するための模式図である。
【図７】図７は、本実施の形態４に係るガス流量検出方法の概念を説明するための模式図である。
【図８（Ａ）】図８（Ａ）は、図２に示すフローチャートのステップＳ１１０における燃料電池システムの流量更新の詳細を模式的に示すフローチャートである。
【図８（Ｂ）】図８（Ｂ）は、図２に示すフローチャートのステップＳ１１０における燃料電池システムの流量更新の詳細を模式的に示すフローチャートである。
【図９】図９は、本実施の形態４における変形例１のガス流量検出方法の概念を説明するための模式図である。
【図１０（Ａ）】図１０（Ａ）は、図２に示すフローチャートのステップＳ１１０における燃料電池システムの流量更新の詳細を模式的に示すフローチャートである。
【図１０（Ｂ）】図１０（Ｂ）は、図２に示すフローチャートのステップＳ１１０における燃料電池システムの流量更新の詳細を模式的に示すフローチャートである。
【発明を実施するための形態】
【００１２】
以下、本発明の実施の形態を具体的に例示する。なお、全ての図面において、同一または相当部分には同一符号を付し、重複する説明は省略する。また、全ての図面において、本発明を説明するために必要となる構成要素を抜粋して図示しており、その他の構成要素については図示を省略している。さらに、本発明は以下の実施の形態に限定されない。
【００１３】
（実施の形態１）
本実施の形態１に係るガス流量検出装置は、ガス供給管に配置されるガス流量検出装置であって、ガス流量検出装置は、ガス流量を第１期間間隔で取得する流量取得器と、該流量取得器が取得したガス流量に基づいて、所定のガス器具での使用ガス流量の積算値である使用ガス総流量を算出する制御器と、を備え、制御器は、流量取得器が取得したガス流量を基に所定のガス器具の使用ガス流量が取得できるかどうかを第２期間間隔で判定し、所定のガス器具の使用ガス流量が取得できると判定した場合には、所定のガス器具の使用ガス流量が取得できると判定した第２期間である、取得可能第２期間内に流量取得器で取得したガス流量の変化量と、当該取得可能第２期間の直前に更新された所定のガス器具の使用ガス流量と、を基に、当該取得可能第２期間内の所定のガス器具の使用ガス総流量を算出し、所定のガス器具の使用ガス流量が取得できないと判定した場合には、所定のガス器具の使用ガス流量が取得できないと判定した直前に更新された所定のガス器具の使用ガス流量を所定のガス器具の使用ガス流量が取得できない期間である、取得不可能期間の所定のガス器具の使用ガス流量とみなして、当該取得不可能期間の所定のガス器具の使用ガス総流量を算出するように構成されている態様を例示するものである。
【００１４】
なお、所定のガス器具は、運転開始時、運転中、及び運転終了時におけるガス使用量の時間変化が極めて緩慢であるガス器具を対象とする。
【００１５】
［ガス流量検出装置の構成］
図１は、本実施の形態１に係るガス流量検出装置の概略構成を示す模式図である。
【００１６】
図１に示すように、本実施の形態１に係るガス流量検出装置１００は、流量取得器１と制御器２を備え、ガス供給管５０に配置されている。ガス供給管５０は、その上流端がガス供給源１０に接続されていて、その下流端は、燃料電池システム２０、ファンヒータ３０、及びガステーブル４０等のガス使用器具に接続されている。なお、ガス供給源１０としては、例えば、ガス供給会社のガス供給配管が挙げられる。
【００１７】
流量取得器１は、ガス供給管５０を通流するガスの流量を取得できればどのような構成であってもよく、流量を直接検知する流量検知器であってもよく、また、流量検知器が検知した流量を受信することで取得するように構成されていてもよい。流量検知器としては、例えば、超音波式の流量計又はフローセンサ式の流量計等を用いることができる。
【００１８】
制御器２は、制御手段と、記憶手段（記憶モジュール）と、検知値取得手段（検知値取得モジュール）と、判断手段（判断モジュール）と、計時手段（計時モジュール）と、を有している（いずれも図示せず）。なお、制御器２は、集中制御を行う単独の制御器で構成されていてもよく、互いに協働して分散制御を行う複数の制御器で構成されていてもよい。
【００１９】
制御手段は、制御機能を有するものであればよく、ＣＰＵ、マイクロコントローラ、ＭＰＵ、ＰＬＣ(Ｐｒｏｇｒａｍｍａｂｌｅ  Ｌｏｇｉｃ  Ｃｏｎｔｒｏｌｌｅｒ)、及び論理回路等が例示される。記憶手段は、各制御動作を実行するためのプログラムを格納した、メモリ等から構成されている。また、計時手段は、計時機能を有するものであれば、どのような構成であってもよく、クロック回路等が例示される。また、検知値取得手段及び判断手段は、記憶手段に格納された所定のプログラムを実行することにより実現される。
【００２０】
［ガス流量検出装置の動作（ガス流量検出方法）］
図２は、本実施の形態１に係るガス流量検出装置の動作を示すフローチャートである。図３（Ａ）〜（Ｃ）は、本実施の形態１に係るガス流量検出方法の概念を説明するための模式図である。ここでは、一例として、燃料電池システム２０のみが運転している状態から、所定の時刻（時刻Ｔ−４）に、他のガス使用器具を代表してガステーブル４０が運転を開始した場合を示している。具体的には、図３（Ａ）は、ガステーブルが使用しているガス流量の時間変化を示すグラフである。図３（Ｂ）は、燃料電池システムが使用しているガス流量の時間変化を示すグラフである。図３（Ｃ）は、流量取得器が取得したガス流量の時間変化を示すグラフである。
【００２１】
なお、図３（Ｃ）は、図３（Ａ）に示すガス流量と図３（Ｂ）に示すガス流量を足し合わせた流量を示すグラフであり、実線が、流量取得器が取得した実際のガス流量を示し、一点鎖線が、本実施の形態１に係るガス流量検出方法により推定される燃料電池システムのガス使用量を示す。
【００２２】
［燃料電池システムの検出方法］
まず、図３（Ａ）に示すように、ガステーブル４０等のガス使用器具（燃料電池システム２０以外のガス使用器具）では、運転開始時及び運転終了時におけるガス使用量の時間変化が比較的急峻である。また、運転中におけるガス使用量の時間変化には、比較的急峻な状態と、ほぼ変化がない状態と、があり得る。例えば、ガステーブル４０において使用者が火力調整した場合や、ファンヒータ３０において設定温度に従って発熱量が調整される場合等は、ガス使用量は大きく増減するが、火力や発熱量の調整がされていない定常状態においては、ガス使用量の時間変化がほとんどない。一方、図３（Ｂ）に示すように、燃料電池システム２０では、運転開始時、運転中、及び運転終了時におけるガス使用量の時間変化が極めて緩慢であるという特徴を有する。
【００２３】
このため、燃料電池システム２０と他のガス器具とのガス使用量の時間変化の違いに基づいて、他のガス器具と共に運転している燃料電池システム２０の作動状態を検出することができる。このような燃料電池システム２０の検出方法（作動しているか否かを検出する方法）の具体的内容は、本実施の形態において、ガス流量を検出する目的上、特に限定されない。但し、好適に採用できる例としては、次のような方法があり、以下の本実施の形態に係るガス流量検出方法においても、燃料電池システム２０の検出にこの方法を採用した場合を例示する。
【００２４】
具体的に説明すると、第１期間（Δｔ）の経過毎に当該第１期間Δｔでのガス流量の変化量を取得すると共に、所定数の第１期間を含む第２期間（ΔＴ（＞Δｔ））におけるガス流量の変化量を取得する。なお、本実施の形態では、第２期間ΔＴを３つの第１期間Δｔに等しい期間に設定している（即ち、ΔＴ＝３・Δｔ）。そして、第１期間Δｔにおけるガス流量の変化量が第１所定範囲内であるか否か（第１判定処理）、及び、第２期間ΔＴにおけるガス流量の変化量が第２所定範囲内であるか否か（第２判定処理）を判断する。
【００２５】
その結果、第２期間ΔＴに含まれる全ての第１期間Δｔにおいて、第１判定処理の結果が「第１所定範囲内」であり、かつ、当該第２期間ΔＴにおける第２判定処理の結果が「第２所定範囲内」と判断されたとき、燃料電池システム２０が作動している状態である、すなわち、燃料電池システム２０の使用ガス流量が取得できると判定することができる。
【００２６】
換言すれば、第２期間ΔＴに関して「第２所定範囲内ではない」と判断されるか、当該第２期間ΔＴに含まれる何れか少なくとも１つの第１期間Δｔに関して「第１所定範囲内ではない」と判断された場合には、燃料電池システム２０の使用ガス流量が取得できるとは判定しない。
【００２７】
ここで、「燃料電池システム２０の使用ガス流量が取得できる」とは、当該第２期間ΔＴにおいては、流量取得器１が検出した使用ガス流量の変化態様（相対的な変化量）を、燃料電池システム２０による使用ガス流量の変化態様（相対的な変化量）とみなすことができる、ということを意味している。
【００２８】
なお、第１所定範囲及び第２所定範囲は、予め実験等で求めることができ、ガステーブル４０等のガス使用器具の変化量（特に、運転開始時、運転終了時、ガス流量調整時における変化量）よりも小さい値である。
【００２９】
また、上記第２判定処理は第２期間ΔＴの経過毎に実行するが、この第２期間ΔＴの設定方法としては、第１期間Δｔを１つ経過するたびに、直近３つ分の第１期間Δｔをもって第２期間ΔＴとするように設定してもよい。この場合は、実質的に第１期間Δｔを１つ経過するたびに第２判定処理を実行することとなる。あるいは、第２期間ΔＴに相当する期間（即ち、３・Δｔ）を経過するたびに、直近３つ分の第１期間Δｔをもって第２期間ΔＴとするように設定してもよい。この場合は、実質的に第１期間Δｔを３つ経過するたびに第２判定処理を実行することとなる。以下では、前者（第１期間Δｔを１つ経過するたびに、直近３つ分の第１期間Δｔをもって第２期間ΔＴと設定する方法）を採用した場合を例にして説明する。
【００３０】
［ガス使用量の変化量と第１所定範囲及び第２所定範囲との関係］
次に、図３（Ａ）〜（Ｃ）について、各時点でのガス使用量の変化量と、上記第１所定範囲及び第２所定範囲との関係について概説しておく。
【００３１】
まず、図３（Ａ）に示すガステーブル４０について説明する。時刻Ｔ−４から時刻Ｔ−３までは、ガステーブル４０が運転を開始してから定常運転に至るまでの期間であって、この間はガス使用量が急激に増加する。そのため、この間に含まれる第１期間Δｔでは、ガステーブル４０のガス使用量の変化量が第１所定範囲を超えるものとなっている。また、この期間を含む第２期間ΔＴにおいても、ガス使用量の変化量は第２所定範囲を超えるものとなっている。そして時刻Ｔ−３以降は、ガステーブル４０の運転が定常状態になり、ガス使用量の変化量はほとんどゼロになっている。
【００３２】
図３（Ｂ）に示す燃料電池システム２０について説明する。燃料電池システム２０のみのガス使用量の変化量は、時刻Ｔ−４以降で若干増加しているが、どの時点の第１計測期間であってもガス使用量の変化量は第１所定範囲内であり、どの時点の第２計測期間であってもガス使用量の変化量は第２所定範囲内となっている。
【００３３】
図３（Ｃ）に示す流量変化について説明する。ガス流量検出装置１００の流量取得器１が取得するガス流量は、図３（Ａ）に示すガステーブル４０の流量と、図３（Ｂ）に示す燃料電池システム２０の流量とを合算した図３（Ｃ）のグラフに示されるものとなる。
【００３４】
従って、図３（Ｃ）に示すように、流量取得器１が取得するガス流量は、時刻Ｔ−４までは第１期間Δｔの変化量が第１所定範囲内であり、かつ、第２期間ΔＴの変化量が第２所定範囲内である。
【００３５】
時刻Ｔ−４以降について、まず、第１所定範囲との関係を見ると、時刻Ｔ−４から時刻Ｔ−３までは、第１期間Δｔの変化量が第１所定範囲を超えるものであり、時刻Ｔ−３以降は、再びどの時点においても第１期間Δｔの変化量が第１所定範囲内となっている。
【００３６】
時刻Ｔ−４以降について、第２所定範囲との関係を見ると、時刻Ｔ−４から時刻Ｔ−３までの期間を含むこととなる第２期間ΔＴでは、ガス使用量の変化量が第２所定範囲を超えるものとなっている。即ち、時刻Ｔ−３、Ｔ−２、及びＴ−１をそれぞれ終点とする第２期間ΔＴは、ガス使用量の急激な変化区間を含むため、第２所定範囲を超えるものとなっている。そして、時刻Ｔ以降における第２期間ΔＴ（即ち、時刻Ｔ−３以降の時点を始点とする第２期間ΔＴ）では、ガス使用量の変化量は第２所定範囲内となっている。
【００３７】
次に、流量取得器１で取得したガス流量が図３（Ｃ）に示すように変遷する場合、すなわち、燃料電池システム２０が図３（Ｂ）のグラフに示すようにガスを使用しているときに、時刻Ｔ−４において、ガステーブル４０が作動して、図３（Ａ）のグラフに示すようにガスを使用したとするときに、本実施の形態１に係るガス流量検出装置１００では、以下のようにして、燃料電池システム２０の使用ガス総流量（推定値）を検出する。なお、以下に示す動作では、第２期間ΔＴが連続した複数の第１期間Δｔ（本実施の形態では３つのΔｔ）を含む場合について説明する。
【００３８】
［燃料電池システムの使用ガス総流量の検出方法］
はじめに、少なくとも燃料電池システム２０が運転中であって、該燃料電池システム２０以外のガス器具の運転によるガス使用量の急激な変化がない状態、図３（Ｃ）の例でいえば、時刻Ｔ−４以前の状態での燃料電池システム２０の使用ガス総流量を検出する手順について説明する。この手順には、図２のフローチャートにおけるステップＳ１０１〜Ｓ１０７に示す工程が対応する。
【００３９】
図２に示すように、ガス流量検出装置１００の制御器２は、回数カウンタを初期化する（ステップＳ１０１）。具体的には、制御器２は、回数カウンタを０にセットする。ついで、制御器２は、燃料電池システム２０が作動しているか（燃料電池システムの使用ガス流量が取得できるか）否かを判定する（ステップＳ１０２）。燃料電池システム２０が作動しているか否かの判定は、上述した方法（第１判定処理及び第２判定処理による方法）で判定してもよく、他の方法によって判定してもよい。
【００４０】
なお、本実施の形態では上述した方法を採用することとし、ステップＳ１０２以降の処理は、第１期間Δｔの経過ごとに繰り返し実行される。そして、制御器２は、燃料電池システム２０が作動していると判定した場合（ステップＳ１０３でＹｅｓ）には、ステップＳ１０４に進み、燃料電池システム２０が作動していない（燃料電池システム２０の使用ガス流量を取得できない）と判定した場合（ステップＳ１０３でＮｏ）には、ステップＳ１０８に進む。
【００４１】
ステップＳ１０４では、制御器２は、回数カウンタが０であるか否かを判定する。回数カウンタが０である場合（ステップＳ１０４でＹｅｓ）には、ステップＳ１０５に進み、回数カウンタが０でない場合（ステップ１０４でＮｏ）には、ステップＳ１０９に進む。本フローの初回実行時では、制御器２は、ステップＳ１０１で回数カウンタを０にしているため、ステップＳ１０５に進む。
【００４２】
ステップＳ１０５では、制御器２は、燃料電池システム２０の使用ガス流量を更新する。具体的には、燃料電池システム２０の使用ガス流量を更新する場合、使用ガス流量Ｆｆは、前回更新時の使用ガス流量Ｆｆに対して、前回更新時から今回更新時（燃料電池システム２０の使用ガス流量を取得できると判定した第２期間である、取得可能第２期間）までの変化量Δｑｔを加算した値となる。例えば、図３（Ｃ）の時刻Ｔ−４での使用ガス流量についていえば、更新後の使用ガス流量Ｆｆは、（前回更新時の値Ｆｆ）＋（変化量Δｑｔ−４）となる。
【００４３】
次に、制御器２は、燃料電池システム２０の使用ガス総流量を更新する（ステップＳ１０６）。具体的には、それ以前までに積算している燃料電池システム２０の使用ガス総流量（前回更新時の使用ガス総流量）に、ステップＳ１０５で算出した（更新した）Ｆｆを加算する。ここで、「前回更新時の使用ガス総流量」は、本フローを実行するたびに更新される使用ガス流量を、前回の更新分まで全て積算することによって取得することができる。但し、「前回更新時の使用ガス総流量」の取得方法はこれに限定されず、他の方法によって取得することとしてもよい。このようにして燃料電池システム２０の使用ガス総流量を更新した後、制御器２は、回数カウンタを初期化して（回数カウンタを０にして：ステップＳ１０７）、図２の（Ａ）に戻る。
【００４４】
以上に説明したようなステップＳ１０２〜Ｓ１０７の処理は、燃料電池システム２０が作動し（ステップＳ１０３でＹｅｓ）、回数カウンタが０（ステップＳ１０４がＹｅｓ）である間、第１期間Δｔを経過するたびに実行される。例えば図３（Ｃ）の場合であれば、少なくとも時刻Ｔ−４に至るまでは繰り返し実行される。そしてその結果、時刻Ｔ−４での燃料電池システム２０の使用ガス流量と、時刻Ｔ−４までの使用ガス総流量と、が取得される。
【００４５】
次に、ステップＳ１０２において、燃料電池システム２０が作動している、と判定しない場合について説明する。上述したように、図３（Ｃ）の時刻Ｔ−４でガステーブル４０が作動を開始したとする。そして、制御器２は、時刻Ｔ−３で燃料電池システム２０が作動しているかどうかを判定する（ステップＳ１０２）。この場合、図３（Ｃ）に示すように、時刻Ｔ−３直前の第１期間Δｔにおけるガス使用量の変化量が第１所定範囲外であり、かつ、第２期間ΔＴにおけるガス流量の変化量が第２所定範囲外であるため、燃料電池システム２０の使用ガス流量が取得できないと判定される。このため、図２に示すように、制御器２は、ステップＳ１０３からステップＳ１０８に進む。
【００４６】
ステップＳ１０８では、制御器２は、回数カウンタを更新する。具体的には、制御器２は、回数カウンタに１を加算する。ここでは、回数カウンタが０であったので、回数カウンタが１となる。そして、制御器２は、図２の（Ａ）に戻る。
【００４７】
このように、時刻Ｔ−３では、燃料電池システム２０が作動しているとは判定されず（ステップＳ１０３でＮｏ）、回数カウンタに１を加算する（ステップＳ１０８）だけで再びステップＳ１０２の判定処理へ戻る。続く時刻Ｔ−２、Ｔ−１のそれぞれにおいても、３つの第１期間Δｔのうち、１つの第１期間Δｔ（時刻Ｔ−４と時刻Ｔ−３の間の期間）でのガス使用量の変化量が第１所定範囲外であり、かつ、第２期間ΔＴでのガス使用量の変化量が第２所定範囲外である。従って、制御器２は、時刻Ｔ−３の場合と同様の処理（ステップＳ１０２、Ｓ１０３、及びＳ１０８）を、時刻Ｔ−２、Ｔ−１の各時点でも実行する。このため、回数カウンタは、時刻Ｔ−１の時点で３回の更新が済んでおり、３になっている。なお、ステップＳ１０２にて燃料電池システム２０が作動していると判定しなかった時刻Ｔ−３から時刻Ｔ−１の各時点では、燃料電池システム２０の使用ガス流量は更新せず、使用ガス総流量の更新も行なわない。
【００４８】
次に、上記のようにステップＳ１０２にて燃料電池システム２０が作動していると判定しなかった期間を経て、再び、作動していると判定する場合について説明する。この場合は、上記のように回数カウンタが１以上になっているため、ステップＳ１０２〜Ｓ１０４を経てからステップＳ１０９〜Ｓ１１２の処理を行なう。
【００４９】
具体的に説明すると、制御器２は、時刻Ｔに本フローを実行した際には、前述したように時刻Ｔにおいては、３つの第１期間Δｔでのガス使用量の変化量が第１所定範囲内、かつ、第２期間ΔＴでのガス使用量の変化量が第２所定範囲内であるから（図３（Ｃ）参照）、ステップＳ１０２で燃料電池システム２０が作動している（燃料電池システム２０の使用ガス流量を取得できる）と判定し、ステップＳ１０３からステップＳ１０４に進む。
【００５０】
ステップＳ１０４では、制御器２は、回数カウンタが３であるため、ステップ１０９に進む。ステップＳ１０９では、制御器２は、さらに回数カウンタの更新を行う。具体的には、制御器２は、回数カウンタに１を加算する。ここでは、回数カウンタが３であったので、回数カウンタが４となる。
【００５１】
次に、制御器２は、燃料電池システム２０の使用ガス流量を更新する（ステップＳ１１０）。ここで、時刻ＴでのステップＳ１１０の処理直前の段階では、上述した説明から分かるように、時刻Ｔ−４での燃料電池システム２０の使用ガス流量と、時刻Ｔ−４までの使用ガス総流量と、が得られており、時刻Ｔ−３、Ｔ−２、及びＴ−１の各時点での使用ガス流量等は未取得である。
【００５２】
一方、時刻Ｔにおける第２期間ΔＴ（時刻Ｔ−２、時刻Ｔ−１、及び時刻Ｔ）は、燃料電池システム２０の使用ガス流量を取得できると判定されているため、時刻Ｔ−３における燃料電池システム２０の使用ガス流量を取得できれば、時刻Ｔにおける第２期間ΔＴの燃料電池システム２０の使用ガス流量を算出することができる。
【００５３】
そこで、制御器２は、燃料電池システム２０の使用ガス流量の直近の更新値（ここでは、時刻Ｔ−４における使用ガス流量Ｆｆ）を、燃料電池システム２０の使用ガス流量を取得できない期間である、取得不可能期間（ここでは、時刻Ｔ−３）の燃料電池システム２０の使用ガス流量として更新する。
【００５４】
そして、制御器２は、時刻Ｔ−２、時刻Ｔ−１、及び時刻Ｔの燃料電池システム２０の使用ガス流量は、上記のようにして、時刻Ｔ−３において更新された燃料電池システム２０の使用ガス流量を基に、以下のようにして算出する。具体的には、時刻Ｔ−２における燃料電池システム２０の使用ガス流量Ｆｆは、時刻Ｔ−３における燃料電池システム２０の使用ガス流量Ｆｆに、時刻Ｔ−３から時刻Ｔ−２までの流量取得器１で取得したガス流量の変化量（ここでは、Δｑｔ−２）を加算した値となる。
【００５５】
同様に、時刻Ｔ−１における燃料電池システム２０の使用ガス流量Ｆｆは、時刻Ｔ−３における燃料電池システム２０の使用ガス流量Ｆｆに、時刻Ｔ−３から時刻Ｔ−１までの流量取得器１で取得したガス流量の変化量（ここでは、（Δｑｔ−２）＋（Δｑｔ−１））を加算した値となる。
【００５６】
また、時刻Ｔにおける燃料電池システム２０の使用ガス流量Ｆｆは、時刻Ｔ−３における燃料電池システム２０の使用ガス流量Ｆｆに、時刻Ｔ−３から時刻Ｔまでの流量取得器１で取得したガス流量の変化量（ここでは、（Δｑｔ−２）＋（Δｑｔ−１）＋（Δｑｔ））を加算した値となる。
【００５７】
次に、制御器２は、燃料電池システム２０の使用ガス総流量を更新する（ステップＳ１１１）。具体的には、ステップＳ１１０で算出した時刻Ｔ−３から時刻Ｔまでの各時点での燃料電池システム２０の使用ガス流量を加算（積算）することで、時刻Ｔの時点での燃料電池システム２０の使用ガス総流量を更新する。そして、制御器２は、回数カウンタを初期化して（ステップＳ１１２）、図２の（Ａ）に戻る。
【００５８】
このようにして、本実施の形態１に係るガス流量検出装置１００では、燃料電池システム２０が作動しているかどうかを判定し、当該判定内容に応じて、燃料電池システム２０の使用ガス流量を更新することで、燃料電池システム２０の使用ガス総流量を検出することができる。
【００５９】
なお、上述した説明から分かるように、本実施の形態１で例示した使用ガス総流量の算出方法を実行するために、ガス流量検出装置１００は、少なくとも直前に更新された燃料電池システム２０の使用ガス流量及び使用ガス総流量は、次回の更新時点までは記憶することとしている。また、ステップＳ１０２にて燃料電池システム２０の使用ガス流量を取得できないと判定した場合には、当該判定した時刻の流量取得器１による検出値（本実施の形態では、ガス流量の変化量（又は、ガス流量の相対値））は、ガス流量検出装置１００にて記憶することとしている。
【００６０】
また、上記では、燃料電池システム２０の使用ガス流量を取得できない期間（時刻Ｔ−４から時刻Ｔ−３までの期間）が第１期間Δｔに一致する場合を例示したが、これに限られない。即ち、第１期間Δｔより短い期間であっても、逆に長い期間であっても、本発明を適用することができる。また、本実施の形態では、このような期間中に流量取得器１で検出されるガス流量が、単調に変化する場合を例示したが（図３（Ｃ）参照）、これに限られない。例えば、ガステーブル４０の運転開始と同時に使用者がその火力を調整した場合等には、ガス流量が増加と減少を何度も繰り返すように変化する場合もあり得るが、このような変化態様を含む場合であっても、上述した方法を使って燃料電池システム２０の使用ガス流量及び使用ガス総流量の各推定値を取得することができる。
【００６１】
さらに、上記実施の形態１では、第２期間ΔＴが連続した複数の第１期間Δｔを有し、第１期間Δｔ毎に図２のステップＳ１０２の判定をする例を説明したが、これに限定されない。例えば、第２期間ΔＴが複数の第１期間Δｔを有し、第２期間ΔＴ毎に図２のステップＳ１０２の判定をすることとしてもよい。但し、第１期間Δｔ毎に図２のステップＳ１０２の判定を行なうこととすれば、燃料電池システム２０の使用ガス流量を取得できない期間を、より詳細に抽出することができるため、燃料電池システム２０の使用ガス流量及び使用ガス総流量の取得値の精度向上を図ることができる。
【００６２】
（実施の形態２）
本実施の形態２に係るガス流量検出装置は、制御器が、所定のガス器具の使用ガス流量が取得できないと判定して、その後、所定のガス器具の使用ガス流量が取得できると判定し、かつ、取得不可能期間の所定のガス器具の使用ガス流量とみなした、取得不可能期間の直前に更新された所定のガス器具の使用ガス流量（以下、みなし直前使用ガス流量）が、流量取得器が取得したガス流量より大きい場合には、みなし直前使用ガス流量と取得不可能期間に流量取得器が取得したガス流量のうち最も小さいガス流量との変化量と、みなし直前使用ガス流量と、を基に、当該取得不可能期間内の所定のガス器具の使用ガス総流量を算出するように構成されている態様を例示するものである。
【００６３】
［ガス流量検出装置の動作（ガス流量検出方法）］
本実施の形態２に係るガス流量検出装置１００は、実施の形態１に係るガス流量検出装置１００と基本的構成は同じであるため、その詳細な説明は省略する。また、本実施の形態２に係るガス流量検出装置１００の動作（ガス流量検出方法）は、図２に示すフローチャートと同様に行われるが、ステップＳ１１０における燃料電池システム２０の流量更新が、以下のように異なる。なお、以下に示す動作では、実施の形態１と同様に、第２期間ΔＴが連続した複数の第１期間Δｔを含む場合について説明する。
【００６４】
図４（Ａ）及び図４（Ｂ）は、本実施の形態２に係るガス流量検出方法の概念を説明するための模式図である。具体的には、図４（Ａ）は、ガステーブル又は燃料電池システムが使用しているガス流量の時間変化を示すグラフである。図４（Ｂ）は、流量取得器が取得したガス流量の時間変化を示すグラフである。なお、図４（Ｂ）は、図４（Ａ）に示すガステーブルが使用しているガス流量と燃料電池システムが使用しているガス流量を足し合わせた流量を示すグラフであり、実線が、流量取得器が取得したガス流量を示し、一点鎖線が、推定の燃料電池システムのガス使用量を示す。
【００６５】
まず、図４（Ａ）に示すように、ガステーブル４０及び燃料電池システム２０が作動して、ガスを使用しているとする。そして、ガステーブル４０は、時刻Ｔ−５で停止動作を開始し、時刻Ｔ−３で停止したとする。
【００６６】
このような場合に、時刻Ｔ−５においては、図２のステップＳ１０１からＳ１０７に従って、燃料電池システム２０のガス流量（ガス使用量）及びガス総流量（ガス総使用量）が算出される。そして、制御器２は、時刻Ｔ−４から時刻Ｔ−１までは、燃料電池システム２０の使用ガス流量が取得できないため、ステップＳ１０２、Ｓ１０３、及びＳ１０８を繰り返す。
【００６７】
次に、制御器２は、時刻Ｔになると、ステップＳ１０２で、燃料電池システム２０が作動していると判定する。このとき、他のガス使用機器（例えば、ファンヒータ３０）がガスを使用していないと判定することができたとする。なお、燃料電池システム２０のみが作動しているという判定は、適宜のプログラムによって実行される。例えば、特開２００６−３１３１１４号公報又は特開２００８−３０９４９８号公報に記載されている方法によって、燃料電池システム２０のみが作動しているという判定を行ってもよい。
【００６８】
そして、制御器２は、ステップＳ１０３、Ｓ１０４、及びＳ１０９を経て、ステップＳ１１０に進む。ステップＳ１１０では、制御器２は、燃料電池システム２０の使用ガス流量を更新する。
【００６９】
ここで、上記実施の形態１のように、燃料電池システム２０の使用ガス流量が取得できないと判定した直前に更新された燃料電池システム２０の使用ガス流量（ここでは、時刻Ｔ−５における使用ガス流量Ｆｆ）を取得不可能期間（時刻Ｔ−４と時刻Ｔ−３）の燃料電池システム２０の使用ガス流量として更新すると、取得不可能期間（時刻Ｔ−４と時刻Ｔ−３）の燃料電池システム２０の使用ガス流量は、図４（Ｂ）の二点鎖線（白丸）となる。すなわち、取得不可能期間（時刻Ｔ−４と時刻Ｔ−３）のうち、時刻Ｔ−３における燃料電池システム２０の使用ガス流量とみなした使用ガス流量（ここでは、時刻Ｔ−５における使用ガス流量Ｆｆ；みなし直前使用ガス流量）が、流量取得器１が取得したガス流量より大きくなる。このように、上記実施の形態１に係るガス流量検出方法だけでは、誤差が生じるおそれがある。
【００７０】
そこで、本実施の形態２に係るガス流量検出方法では、制御器２は、取得不可能期間（時刻Ｔ−４と時刻Ｔ−３）における燃料電池システム２０の使用ガス流量を、以下のようにして算出する。すなわち、制御器２は、みなし直前使用ガス流量（時刻Ｔ−５における使用ガス流量Ｆｆ）と取得不可能期間（時刻Ｔ−４と時刻Ｔ−３）に流量取得器１が取得したガス流量のうち最も小さいガス流量（ここでは、時刻Ｔ３に取得したガス流量）との変化量と、みなし直前使用ガス流量と、を基に燃料電池システム２０の使用ガス流量を算出する。
【００７１】
具体的には、時刻Ｔ−４における使用ガス流量Ｆｆは、時刻Ｔ−５における燃料電池システム２０の使用ガス流量Ｆｆに、時刻Ｔ−５における燃料電池システム２０の使用ガス流量Ｆｆと時刻Ｔ−３における流量取得器１が取得したガス流量との変化量（Δｑｔ／２Δｔ）を基に算出する。より詳細には、時刻Ｔ−４における使用ガス流量Ｆｆは、時刻Ｔ−５における燃料電池システム２０の使用ガス流量Ｆｆに、｛（Δｑｔ／２Δｔ）×Δｔ｝を加算した値となる。同様に、時刻Ｔ−３における使用ガス流量Ｆｆは、時刻Ｔ−５における燃料電池システム２０の使用ガス流量Ｆｆに、｛（Δｑｔ／２Δｔ）×２Δｔ｝を加算した値となる。
【００７２】
このようにして、算出された取得不可能期間（時刻Ｔ−４及び時刻Ｔ−３）の燃料電池システム２０の使用ガス流量は、図４（Ｂ）に示すように、誤差が小さいものとなる。そして、制御器２は、当該方法によって、算出した取得不可能期間の燃料電池システム２０の使用ガス流量に基づいて、燃料電池システム２０の使用ガス総流量を更新する（ステップＳ１１１）。なお、時刻Ｔ３から時刻Ｔまでの燃料電池システム２０の使用ガス流量は、実施の形態１と同様に行うことができる。
【００７３】
このように、本実施の形態２に係るガス流量検出装置１００では、実施の形態１に係るガス流量検出装置１００に比して、燃料電池システム２０の使用ガス総流量をより正確に算出することができる。
【００７４】
（実施の形態３）
本実施の形態３に係るガス流量検出装置は、制御器が、取得不可能期間が、複数の連続した第２期間であり、当該取得不可能期間の始点において流量取得器が取得したガス流量と、当該取得不可能期間の終点において流量取得器が取得したガス流量と、の変化量である、第１変化量が、所定範囲内である場合に、取得不可能期間の直前に更新された所定のガス器具の使用ガス流量と、第１変化量と、を基に、当該取得不可能期間内の所定のガス器具の使用ガス総流量を算出するように構成されている態様を例示するものである。
【００７５】
［ガス流量検出装置の動作（ガス流量検出方法）］
本実施の形態３に係るガス流量検出装置１００は、実施の形態１に係るガス流量検出装置１００と基本的構成は同じであるため、その詳細な説明は省略する。また、本実施の形態３に係るガス流量検出装置１００の動作（ガス流量検出方法）は、図２に示すフローチャートと同様に行われるが、ステップＳ１１０における燃料電池システム２０の流量更新が、以下のように異なる。なお、以下に示す動作では、実施の形態１と同様に、第２期間ΔＴが連続した複数の第１期間Δｔを含む場合について説明する。
【００７６】
図５は、本実施の形態３に係るガス流量検出方法の概念を説明するための模式図である。具体的には、図５は、流量取得器が取得したガス流量の時間変化を示すグラフである。なお、図５では、実線が、流量取得器が取得したガス流量を示し、一点鎖線及び二点鎖線が、推定の燃料電池システムのガス使用量を示す。より具体的には、一点鎖線が、実施の形態１に係るガス流量検出方法によって、算出した推定の燃料電池システムのガス使用量を示し、二点鎖線が、本実施の形態３に係るガス流量検出方法によって、算出した推定の燃料電池システムのガス使用量を示す。
【００７７】
まず、図５に示すように、給湯器（図１では、図示せず）又は燃料電池システム２０が作動して、ガスを使用しているとする。具体的には、給湯器は、時刻Ｔ４で動作を開始し、時刻Ｔ１３で停止したとする。
【００７８】
このような場合に、時刻Ｔ４においては、図２のステップＳ１０１からＳ１０７に従って、燃料電池システム２０のガス流量（ガス使用量）及びガス総流量（ガス総使用量）が算出される。そして、制御器２は、時刻Ｔ５から時刻Ｔ１５までは、燃料電池システム２０の使用ガス流量が取得できないため、ステップＳ１０２、Ｓ１０３、及びＳ１０８を繰り返す。
【００７９】
次に、制御器２は、時刻Ｔ１６になると、ステップＳ１０２で、燃料電池システム２０が作動していると判定する。そして、制御器２は、ステップＳ１０３、Ｓ１０４、及びＳ１０９を経て、ステップＳ１１０に進む。ステップＳ１１０では、制御器２は、燃料電池システム２０の使用ガス流量を更新する。
【００８０】
ここで、上記実施の形態１のように、燃料電池システム２０の使用ガス流量が取得できないと判定した直前に更新された燃料電池システム２０の使用ガス流量（ここでは、時刻Ｔ４における使用ガス流量Ｆｆ４）を取得不可能期間（時刻Ｔ５〜時刻Ｔ１３）の燃料電池システム２０の使用ガス流量として更新すると、図５の一点鎖線に示すようなグラフとなる。
【００８１】
ところで、上述したように、燃料電池システム２０は、運転開始時、運転中、及び運転終了時におけるガス使用量の時間変化が極めて緩慢であるという特徴を有する（図３（Ｂ）参照）。このため、図５において、取得不可能期間が複数の連続した第２期間である場合、取得不可能期間の始点（ここでは、時刻Ｔ４）に流量取得器１が取得したガス流量Ｆｒ４と、取得不可能期間の終点である時刻Ｔ１３における流量取得器１が取得した流量Ｆｒ１３と、の変化量である第１変化量が所定範囲にある場合、第１変化量を燃料電池システム２０の使用ガス流量の変化量であると、推定することができる。
【００８２】
なお、所定範囲は、予め実験等で求めることができ、ガステーブル４０等のガス使用器具の変化量（特に、運転開始時、運転終了時、ガス流量調整時における変化量）よりも小さい値である。
【００８３】
そこで、本実施の形態３に係るガス流量検出方法では、制御器２は、取得不可能期間（時刻Ｔ５〜時刻Ｔ１３）における燃料電池システム２０の使用ガス流量を、以下のようにして算出する。すなわち、制御器２は、取得不可能期間の始点（ここでは、時刻Ｔ４）に流量取得器１が取得したガス流量Ｆｒ４と、取得不可能期間の終点である時刻Ｔ１３における流量取得器１が取得した流量Ｆｒ１３と、の変化量である第１変化量と、燃料電池システム２０の使用ガス流量が取得できないと判定した直前に更新された燃料電池システム２０の使用ガス流量（ここでは、時刻Ｔ４における使用ガス流量Ｆｆ４）と、を基に燃料電池システム２０の使用ガス流量を算出する。
【００８４】
具体的には、例えば、時刻Ｔ５における使用ガス流量Ｆｆは、時刻Ｔ４における燃料電池システム２０の使用ガス流量Ｆｆ４に、第１変化量｛（Ｆｒ１３−Ｆｒ４）／９Δｔ）｝を基に算出する。より詳細には、時刻Ｔ５における使用ガス流量Ｆｆは、時刻Ｔ４における燃料電池システム２０の使用ガス流量Ｆｆ４に、［｛（Ｆｒ１３−Ｆｒ４）／９Δｔ｝×Δｔ］を加算した値となる。以下、同様にして、時刻Ｔ６〜時刻Ｔ１３における使用ガス流量を算出する。
【００８５】
そして、制御器２は、当該方法によって、算出した取得不可能期間の燃料電池システム２０の使用ガス流量に基づいて、燃料電池システム２０の使用ガス総流量を更新する（ステップＳ１１１）。なお、時刻Ｔ１４〜時刻Ｔ１６までの燃料電池システム２０の使用ガス流量は、実施の形態１と同様に行うことができる。
【００８６】
一方、後述するように、取得不可能期間が複数の連続した第２期間であり、第１変化量が所定範囲外にある場合には、燃料電池システム２０のガス使用量の変化以外に、燃料電池システム２０以外のガス使用器具のガス使用量の変化も含まれると推定される。
【００８７】
このため、制御器２は、第１変化量が所定範囲外であり、取得不可能期間に流量取得器１が取得したガス流量が、取得不可能期間の直前に更新された燃料電池システム２０の使用ガス流量より大きい場合には、実施の形態１と同様に、取得不可能期間の直前に更新された燃料電池システム２０の使用ガス流量を、当該取得不可能期間における燃料電池システム２０の使用ガス流量とみなす。また、制御器２は、第１変化量が所定範囲外であり、取得不可能期間に流量取得器１が取得したガス流量が、取得不可能期間の直前に更新された燃料電池システム２０の使用ガス流量以下である場合には、実施の形態２と同様にして、取得不可能期間における燃料電池システム２０の使用ガス流量を算出する。
【００８８】
このように構成された、本実施の形態３に係るガス流量検出装置１００であっても、燃料電池システム２０の使用ガス流量及び使用ガス総流量の取得値の精度向上を図ることができる。
【００８９】
（実施の形態４）
［ガス流量検出装置の動作（ガス流量検出方法）］
本実施の形態４に係るガス流量検出装置１００は、実施の形態１に係るガス流量検出装置１００と基本的構成は同じであるため、その詳細な説明は省略する。また、本実施の形態４に係るガス流量検出装置１００の動作（ガス流量検出方法）は、図２に示すフローチャートと同様に行われ、ステップＳ１１０における燃料電池システム２０の流量更新について、図６乃至図８（Ｂ）を参照しながら、さらに詳しく説明する。なお、以下に示す動作では、実施の形態１と同様に、第２期間ΔＴが連続した複数の第１期間Δｔを含む場合について説明する。
【００９０】
図６及び図７は、本実施の形態４に係るガス流量検出方法の概念を説明するための模式図である。具体的には、図６及び図７は、流量取得器が取得したガス流量の時間変化を示すグラフである。また、図８（Ａ）及び図８（Ｂ）は、図２に示すフローチャートのステップＳ１１０における燃料電池システムの流量更新の詳細を模式的に示すフローチャートである。
【００９１】
なお、図６では、実線が、流量取得器が取得したガス流量を示し、一点鎖線及び二点鎖線が、推定の燃料電池システムのガス使用量を示す。より具体的には、一点鎖線は、本実施の形態１に係るガス流量検出方法によって、算出した推定の燃料電池システムのガス使用量を示し、二点鎖線は、実施の形態１〜３に係るガス流量検出方法によって、再算出した推定の燃料電池システムのガス使用量を示す。また、図７では、実線が、流量取得器が取得したガス流量を示し、一点鎖線が、推定の燃料電池システムのガス使用量を示す。
【００９２】
まず、図６及び図７について、簡単に説明する。
【００９３】
図６においては、制御器２は、時刻Ｔ２、Ｔ６、Ｔ１２、及びＴ２１において、燃料電池システム２０が作動している（燃料電池システム２０の使用ガス流量を取得できる）と判定し、燃料電池システム２０の使用ガス流量を更新する。このとき、例えば、時刻Ｔ６においては、時刻Ｔ２における推定燃料電池システム２０のガス使用量Ｆｆ２がわかっている。また、時刻Ｔ６において、直前の３つの第１期間Δｔにおけるガス使用量の変化量が第１所定範囲内であり、かつ、第２期間ΔＴ６（時刻Ｔ３〜時刻Ｔ６の間）におけるガス流量の変化量が第２所定範囲内であるため、時刻Ｔ２と時刻Ｔ３との間の期間である、期間Ａが取得不可能期間と決定される。同様に、時刻Ｔ１２において、期間Ｂが取得不可能期間と決定され、時刻Ｔ２１において、期間Ｃが取得不可能期間と決定される。
【００９４】
また、図７においては、制御器２は、時刻Ｔ３４及びＴ４６において、燃料電池システム２０が作動している（燃料電池システム２０の使用ガス流量を取得できる）と判定し、燃料電池システム２０の使用ガス流量を更新している。このとき、例えば、時刻Ｔ４３において、時刻Ｔ３４における推定燃料電池システム２０のガス使用量Ｆｆ３４がわかっていて、期間Ｄが取得不可能期間と決定される。
【００９５】
次に、取得不可能期間における燃料電池システム２０の使用ガス流量の更新は、制御器２が、図２に示すフローチャートのステップＳ１１０において、図８に示すフローチャートに従って、燃料電池システム２０の使用ガス流量を更新（算出）する。以下、図６乃至図８（Ｂ）を参照しながら、具体的に説明する。
【００９６】
［取得不可能期間Ａの場合］
まず、図６に示す取得不可能期間Ａの場合について、説明する。
【００９７】
図８（Ａ）に示すように、制御器２は、取得不可能期間が、複数の連続した第２期間であるか否かを判定する（ステップＳ２０１）。制御器２は、取得不可能期間が、複数の連続した第２期間である場合（ステップＳ２０１でＹｅｓ）には、ステップＳ２０９に進む。一方、制御器２は、取得不可能期間が、複数の連続した第２期間でない場合（ステップＳ２０１でＮｏ）には、ステップＳ２０２に進む。なお、ステップＳ２０９以降の動作については、後述する。
【００９８】
取得不可能期間Ａの場合、複数の連続した第２期間ではないため、制御器２は、ステップＳ２０２に進む。ステップＳ２０２では、制御器２は、取得不可能期間の直前に更新された燃料電池システム２０の使用ガス流量を取得する。この場合、制御器２は、取得不可能期間Ａの直前に更新された、燃料電池システム２０のガス使用量（使用ガス流量）Ｆｆ２を取得する。
【００９９】
次に、制御器２は、取得不可能期間Ａに流量取得器１が取得したガス流量Ｆｒ３を取得する（ステップＳ２０３）。ついで、制御器２は、ステップＳ２０２で取得した使用ガス流量Ｆｆ２が、ステップＳ２０３で取得したガス流量Ｆｒ３よりも大きいか否かを判定する（ステップＳ２０４）。
【０１００】
取得不可能期間Ａでは、ステップＳ２０２で取得した使用ガス流量Ｆｆ２が、ステップＳ２０３で取得したガス流量Ｆｒ３以下である（ステップＳ２０４でＮｏ）ので、ステップＳ２０５に進む。
【０１０１】
ステップＳ２０５では、制御器２は、ステップＳ２０２で取得した使用ガス流量Ｆｆ２を取得不可能期間Ａの燃料電池システム２０の使用ガス流量とみなす。すなわち、流量取得器１が取得したガス流量Ｆｒ（ここでは、ガス流量Ｆｒ３）が、取得不可能期間の直前に更新された燃料電池システム２０の使用ガス流量Ｆｆ（ここでは、使用ガス流量Ｆｆ２）よりも大きい場合には、流量取得器１が取得したガス流量Ｆｒには、燃料電池システム２０以外のガス使用器具によるガスの使用量を含むものと推定することができる。
【０１０２】
このため、取得不可能期間Ａの直前に更新された燃料電池システム２０の使用ガス流量Ｆｆ２を取得不可能期間Ａの燃料電池システム２０の使用ガス流量とみなし、制御器２は、使用ガス流量Ｆｆ３＝使用ガス流量Ｆｆ２として、時刻Ｔ３における燃料電池システム２０の使用ガス流量を更新し、本フローチャートを終了する。
【０１０３】
［取得不可能期間Ｂの場合］
次に、図６に示す取得不可能期間Ｂの場合について、説明する。
【０１０４】
取得不可能期間Ｂは、取得不可能期間Ａの場合と同様に、複数の連続した第２期間ではないため、制御器２は、ステップＳ２０２に進む。ステップＳ２０２では、制御器２は、取得不可能期間Ｂの直前に更新された、燃料電池システム２０のガス使用量（使用ガス流量）Ｆｆ６を取得する。ついで、制御器２は、取得不可能期間Ｂに流量取得器１が取得したガス流量Ｆｒ７、Ｆｒ８、及びＦｒ９を取得する（ステップＳ２０３）。
【０１０５】
次に、制御器２は、ステップＳ２０２で取得した使用ガス流量Ｆｆ６が、ステップＳ２０３で取得したガス流量Ｆｒ７、Ｆｒ８、及びＦｒ９よりも大きいか否かを判定する（ステップＳ２０４）。取得不可能期間Ｂでは、ステップＳ２０２で取得した使用ガス流量Ｆｆ６は、ステップＳ２０３で取得したガス流量Ｆｒ８よりも大きい（ステップＳ２０４でＹｅｓ）ため、制御器２は、ステップＳ２０６に進む。
【０１０６】
ここで、流量取得器１が取得したガス流量Ｆｒ（ここでは、ガス流量Ｆｒ８）が、取得不可能期間の直前に更新された燃料電池システム２０の使用ガス流量Ｆｆ（ここでは、使用ガス流量Ｆｆ６）よりも小さい場合には、燃料電池システム２０のガス使用量の変化が小さいことを考慮すると、流量取得器１が取得したガス流量Ｆｒは、燃料電池システム２０のガス使用量（他のガス使用器具によるガスの消費がない状態）と推定することができる。このため、取得不可能期間に流量取得器１が取得したガス流量Ｆｒ（ここでは、ガス流量Ｆｒ８）から、当該取得不可能期間中の燃料電池システム２０の使用ガス流量を以下のようにして推定する。
【０１０７】
ステップＳ２０６では、制御器２は、取得不可能期間Ｂにおいて、流量取得器１が取得したガス流量のうち、最も小さいガス流量を取得する。取得不可能期間Ｂにおいては、時刻Ｔ８において、流量取得器１が取得したガス流量が最も小さいため、制御器２は、ガス流量Ｆｒ８を取得する。
【０１０８】
次に、制御器２は、取得不可能期間Ｂの直前に更新された燃料電池システム２０の使用ガス流量Ｆｆ６と、ステップＳ２０６で取得したガス流量Ｆｒ８と、の変化量｛（Ｆｆ８−Ｆｆ６）／（２×Δｔ）｝を算出する（ステップＳ２０７）。そして、制御器２は、ステップＳ２０２で取得した使用ガス流量Ｆｆ６とステップＳ２０７で算出した変化量を基に、時刻Ｔ７、Ｔ８、及びＴ９における燃料電池システム２０の使用ガス流量を更新（算出）し、本フローチャートを終了する。具体的には、例えば、時刻Ｔ７における燃料電池システム２０の使用ガス流量は、Ｆｆ６＋｛（Ｆｆ８−Ｆｆ６）／（２×Δｔ）｝×Δｔとなる。
【０１０９】
［取得不可能期間Ｃの場合］
次に、図６に示す取得不可能期間Ｃの場合について、説明する。
【０１１０】
制御器２は、取得不可能期間Ｃは、取得不可能期間Ａ及びＢとは異なり、複数の連続した第２期間である（ステップＳ２０１でＹｅｓ）ため、ステップＳ２０９に進む。図８（Ｂ）に示すように、ステップＳ２０９では、制御器２は。取得不可能期間の直前に更新された燃料電池システム２０の使用ガス流量を取得する。この場合、制御器２は、取得不可能期間Ｃの直前に更新された、燃料電池システム２０のガス使用量（使用ガス流量）Ｆｆ１２を取得する。
【０１１１】
次に、制御器２は、取得不可能期間の始点において、流量取得器１が取得したガス流量を取得する（ステップＳ２１０）。取得不可能期間Ｃでは、制御器２は、流量取得器１が取得したガス流量Ｆｒ１２を取得する。ついで、制御器２は、取得不可能期間の終点において、流量取得器１が取得したガス流量を取得する（ステップＳ２１１）。取得不可能期間Ｃにおいては、制御器２は、その終点である時刻Ｔ１８におけるガス流量Ｆｒ１８を取得する。そして、制御器２は、ステップＳ２１０で取得した使用ガス流量Ｆｒ１２と、ステップＳ２１１で取得したガス流量Ｆｒ１８と、の変化量である、第１変化量を算出する（ステップＳ２１２）。
【０１１２】
次に、制御器２は、ステップＳ２１２で算出した第１変化量が所定範囲内であるか否かを判断する（ステップＳ２１３）。制御器２は、ステップＳ２１２で算出した第１変化量が所定範囲内である場合（ステップＳ２１３でＹｅｓ）には、ステップＳ２１４に進み、ステップＳ２１２で算出した第１変化量が所定範囲外である場合（ステップＳ２１３でＮｏ）には、ステップＳ２１５に進む。
【０１１３】
取得不可能期間Ｃの場合、第１変化量が所定範囲内である（ステップＳ２１３でＹｅｓ）ため、制御器２は、ステップＳ２１４に進む。
【０１１４】
ここで、上述したように、燃料電池システム２０は、運転開始時、運転中、及び運転終了時におけるガス使用量の時間変化が極めて緩慢であるという特徴を有する（図３（Ｂ）参照）。このため、取得不可能期間が、複数の連続した第２期間であり、当該取得不可能期間における第１変化量が所定範囲内である場合には、第１変化量を燃料電池システム２０の使用ガス流量の変化量であると、推定することができる。このため、制御器２は、第１変化量を基に、燃料電池システム２０の使用ガス流量を以下のようにして、算出する。
【０１１５】
ステップＳ２１４では、制御器２は、ステップＳ２０９で取得した使用ガス流量Ｆｆ１２と、ステップＳ２１２で算出した第１変化量と、を基に、時刻Ｔ１３〜Ｔ１８における燃料電池システム２０の使用ガス流量を更新（算出）し、本フローチャートを終了する。例えば、時刻Ｔ１３における燃料電池システム２０の使用ガス流量は、Ｆｆ１２＋｛（Ｆｆ１８−Ｆｆ１２）／（６×Δｔ）｝×Δｔとなる。
【０１１６】
［取得不可能期間Ｄの場合］
次に、第１変化量が所定範囲外となり（ステップＳ２１３でＮｏ）、ステップＳ２１５の処理を行う場合について、図７を参照しながら説明する。
【０１１７】
図７に示す取得不可能期間Ｄは、取得不可能期間Ｃと同様に、複数の連続した第２期間である（ステップＳ２０１でＹｅｓ）ため、制御器２は、ステップＳ２０９に進む。図８（Ｂ）に示すように、ステップＳ２０９では、制御器２は、取得不可能期間Ｄの直前に更新された燃料電池システム２０の使用ガス流量Ｆｆ３４を取得する。
【０１１８】
次に、制御器２は、取得不可能期間Ｄの直近に流量取得器１が取得したガス流量Ｆｒ３４を取得する（ステップＳ２１０）。ついで、制御器２は、取得不可能期間Ｄの終点である、時刻Ｔ４３において、流量取得器１が取得したガス流量Ｆｒ４３を取得する（ステップＳ２１１）。そして、制御器２は、ステップＳ２１０で取得した使用ガス流量Ｆｒ３４と、ステップＳ２１１で取得したガス流量Ｆｒ４３と、の変化量である、第１変化量を算出する（ステップＳ２１２）。
【０１１９】
取得不可能期間Ｄでは、ステップＳ２１２で算出した第１変化量が所定範囲外である（ステップＳ２１３でＮｏ；図７参照）ため、制御器２は、ステップＳ２１５に進む。
【０１２０】
ステップＳ２１５では、制御器２は、ステップＳ２０９で取得した使用ガス流量Ｆｆ３４を、時刻Ｔ３５〜Ｔ４３における燃料電池システム２０の使用ガス流量とみなして、時刻Ｔ３５〜Ｔ４３における燃料電池システム２０の使用ガス流量を更新し、本フローチャートを終了する。
【０１２１】
このように構成された、本実施の形態４に係るガス流量検出装置１００であっても、実施の形態１に係るガス流量検出装置１００と同様の作用効果を奏する。
【０１２２】
［変形例１］
次に、本実施の形態４に係るガス流量検出装置１００の変形例について説明する。
【０１２３】
本実施の形態４における変形例１のガス流量検出装置１００は、制御器が、所定のガス器具の使用ガス流量が取得できないと判定して、その後、所定のガス器具の使用ガス流量が取得できると判定し、かつ、取得不可能期間の所定のガス器具の使用ガス流量とみなした、取得不可能期間の直前に更新された所定のガス器具の使用ガス流量（以下、みなし直前使用ガス流量）が、流量取得器が取得したガス流量より大きい場合には、取得不可能期間に流量取得器が取得したガス流量のうち最も小さいガス流量を取得不可能期間の所定のガス器具の使用ガス流量として再設定し、再設定した使用ガス流量を基に、当該取得不可能期間の所定のガス器具の使用ガス総流量を算出し、取得不可能期間の直近の取得可能期間（以下、直前取得可能期間）における所定のガス器具の使用ガス総流量を、再設定した使用ガス流量と、直前取得可能期間における流量取得器が取得したガス流量の変化量と、を基に算出するように構成されている態様を例示するものである。
【０１２４】
上述したように、流量取得器１が取得したガス流量Ｆｒが、取得不可能期間の直前に更新された燃料電池システム２０の使用ガス流量Ｆｆよりも小さい場合には、燃料電池システム２０のガス使用量の変化が小さいことを考慮すると、流量取得器１が取得したガス流量Ｆｒは、燃料電池システム２０のガス使用量（他のガス使用器具によるガスの消費がない状態）と推定することができる。このため、本変形例１では、取得不可能期間に流量取得器１が取得したガス流量Ｆｒのうち、最も小さいガス流量Ｆｒを、当該取得不可能期間中の燃料電池システム２０の使用ガス流量として推定する（再設定する）。
【０１２５】
そして、取得不可能期間の直近の取得可能期間（直前取得可能期間）における燃料電池システム２０の使用ガス流量を、再設定した燃料電池システム２０の使用ガス流量と、直前取得可能期間における流量取得器１が取得したガス流量の変化量と、を基に算出する。
【０１２６】
［ガス流量検出装置の動作（ガス流量検出方法）］
本変形例１のガス流量検出装置１００は、実施の形態１に係るガス流量検出装置１００と基本的構成は同じであるため、その詳細な説明は省略する。また、本実施の形態４に係るガス流量検出装置１００の動作（ガス流量検出方法）は、図２に示すフローチャートと同様に行われ、ステップＳ１１０における燃料電池システム２０の流量更新について、図９乃至図１０（Ｂ）を参照しながら、さらに詳しく説明する。なお、以下に示す動作では、実施の形態１と同様に、第２期間ΔＴが連続した複数の第１期間Δｔを含む場合について説明する。
【０１２７】
図９は、本実施の形態４における変形例１のガス流量検出方法の概念を説明するための模式図である。具体的には、図９は、流量取得器が取得したガス流量の時間変化を示すグラフである。また、図１０（Ａ）及び図１０（Ｂ）は、図２に示すフローチャートのステップＳ１１０における燃料電池システムの流量更新の詳細を模式的に示すフローチャートである。
【０１２８】
なお、図９では、実線が、流量取得器が取得したガス流量を示し、一点鎖線、二点鎖線、及び破線が、推定の燃料電池システムのガス使用量を示す。より具体的には、一点鎖線は、本実施の形態１に係るガス流量検出方法によって、算出した推定の燃料電池システムのガス使用量を示し、二点鎖線は、実施の形態１〜３に係るガス流量検出方法によって、再算出した推定の燃料電池システムのガス使用量を示す。また、破線は、本変形例１のガス流量検出方法によって、再算出した推定の燃料電池システムのガス使用量を示す。
【０１２９】
また、図９における流量取得値は、図６における流量取得値と全く同じであり、同様に、図９における一点鎖線及び二点鎖線で示す燃料電池システムのガス使用量は、図６における一点鎖線及び二点鎖線で示す燃料電池システムのガス使用量と全く同じである。
【０１３０】
図９に示すように、本変形例１のガス流量検出方法は、実施の形態４に係るガス流量検出方法と基本的動作は同じであるが、取得不可能期間Ｂにおける燃料電池システム２０の使用ガス流量の算出方法、及び取得不可能期間Ｂの直近の取得可能期間である、直前取得可能期間Ｂにおける燃料電池システム２０の使用ガス流量の算出方法が異なる。
【０１３１】
なお、取得不可能期間Ｂにおける燃料電池システム２０の使用ガス流量が、実施の形態４と異なるため、取得不可能期間Ｂ以降の燃料電池システム２０の使用ガス流量は、実施の形態４に係るガス流量検出方法で算出した燃料電池システム２０の使用ガス流量からずれたものとなっている。
【０１３２】
そして、図１０（Ａ）に示すように、本変形例１のガス流量検出方法は、実施の形態４に係るガス流量検出方法のステップＳ２０７及びＳ２０８に代えて、ステップＳ２０７Ａ及びＳ２０８Ａが行われる。
【０１３３】
以下、本変形例１のガス流量検出方法について、具体的に説明する。
【０１３４】
［取得不可能期間Ｂの場合］
まず、図９に示す取得不可能期間Ｂの場合について、図１０（Ａ）を参照しながら説明する。
【０１３５】
上述したように、取得不可能期間Ｂでは、ステップＳ２０２で取得した使用ガス流量Ｆｆ６は、ステップＳ２０３で取得したガス流量Ｆｒ８よりも大きい（ステップＳ２０４でＹｅｓ）ため、制御器２は、ステップＳ２０６に進む。
【０１３６】
ステップＳ２０６では、制御器２は、取得不可能期間Ｂにおいて、流量取得器１が取得したガス流量のうち、最も小さいガス流量を取得する。取得不可能期間Ｂにおいては、時刻Ｔ８において、流量取得器１が取得したガス流量が最も小さいため、制御器２は、ガス流量Ｆｒ８を取得する。
【０１３７】
次に、制御器２は、ステップＳ２０６で取得したガス流量Ｆｒ８を取得不可能期間Ｂにおける燃料電池システム２０の使用ガス流量と再設定する（ステップＳ２０７Ａ）。すなわち、制御器２は、ガス流量Ｆｒ８＝使用ガス流量Ｆｆ６´、Ｆｆ７´、及びＦｆ８として、時刻Ｔ６〜時刻Ｔ８における燃料電池システム２０の使用ガス流量を再設定する。
【０１３８】
［直前取得可能期間Ｂの場合］
次に、取得不可能期間において、燃料電池システム２０の使用ガス流量と再設定した場合における、直前取得可能期間における燃料電池システム２０の使用ガス流量の算出、すなわち、図１０（Ａ）のステップＳ２０８Ａについて、説明する。
【０１３９】
ステップＳ２０８Ａでは、制御器２は、ステップＳ２０６で取得したガス流量と、直前取得可能期間Ｂにおけるガス流量の変化量と、から、当該直前取得可能期間Ｂにおける燃料電池システム２０の使用ガス流量を再算出し、本フローチャートを終了する。
【０１４０】
具体的には、制御器２は、時刻Ｔ３に流量取得器１が取得したガス流量Ｆｒ３と、時刻Ｔ６に流量取得器１が取得したガス流量Ｆｒ６と、から、直前取得可能期間Ｂにおけるガス流量の変化量を算出する。そして、制御器２は、算出したガス流量の変化量と、ステップＳ２０６で取得したガス流量（ここでは、ガス流量Ｆｒ８（使用ガス流量Ｆｆ６´））と、から、直前取得可能期間Ｂにおける燃料電池システム２０の使用ガス流量を再算出する。
【０１４１】
そして、制御器２は、ステップＳ２０７Ａで再設定した、取得不可能期間Ｂにおける燃料電池システム２０の使用ガス流量（使用ガス流量Ｆｆ６´、Ｆｆ７´、及びＦｆ８）と、ステップＳ２０８Ａで算出した直前取得可能期間Ｂにおける燃料電池システム２０の使用ガス流量（使用ガス流量Ｆｆ３´、Ｆｆ４´、及びＦｆ５´）と、に基づいて、燃料電池システム２０の使用ガス総流量を更新する（図２のステップＳ１１１）。
【０１４２】
このように構成された、本変形例１のガス流量検出装置１００であっても、実施の形態４に係るガス流量検出装置１００と同様の作用効果を奏する。
【０１４３】
なお、本変形例１においては、直前取得可能期間が、１の第２期間である場合について、燃料電池システム２０の使用ガス流量の再算出する方法を例示したが、直前取得可能期間が、連続した複数の第２期間である場合であっても、１の第２期間の場合と同様にして、再算出することができることはいうまでもない。
【０１４４】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１４５】
本発明に係るガス流量検出装置及びガス流量検出方法は、所定のガス器具が使用するガス使用量（ガス総使用量）を算出（検出）することができるため、ガスメータ等に有用である。
【符号の説明】
【０１４６】
１  流量取得器
２  制御器
１０  ガス供給源
２０  燃料電池システム
３０  ファンヒータ
４０  ガステーブル
５０  ガス供給管
１００  ガス流量検出装置
【図１】
0005914877.tif 000002
【図２】
0005914877.tif 000003
【図３（Ａ）】
0005914877.tif 000004
【図３（Ｂ）】
0005914877.tif 000005
【図３（Ｃ）】
0005914877.tif 000006
【図４（Ａ）】
0005914877.tif 000007
【図４（Ｂ）】
0005914877.tif 000008
【図５】
0005914877.tif 000009
【図６】
0005914877.tif 000010
【図７】
0005914877.tif 000011
【図８（Ａ）】
0005914877.tif 000012
【図８（Ｂ）】
0005914877.tif 000013
【図９】
0005914877.tif 000014
【図１０（Ａ）】
0005914877.tif 000015
【図１０（Ｂ）】
0005914877.tif 000016